(57)【特許請求の範囲】
【請求項１】
縦メンバーと横メンバーとから構成されたフェンス体を、基礎上に立設した複数の支柱間に配設したフェンス構造体において、前記支柱同士の少なくとも上側部間で、前記支柱の道路斜面または法面等、雪圧が多くかかる側に沿ってワイヤロープを連接し、前記フェンス体を前記支柱と前記ワイヤロープに連接して固定し、
隣接するフェンス体の端部同士を重複させた状態で支柱に固定させる中間固定具を備え、同中間固定具は、重複したフェンス体の各縦メンバーをそれぞれ前後から挟み込み可能とし、前記重複したフェンス体の前記各縦メンバーを一本ずつ隔離して挟み込むように挟み込み面に多数の略山形状の突起を形成した一対の拘束プレートと、同拘束プレートを前記支柱に連結固定する連結具とを具備したことを特徴とするフェンス構造体。
【請求項２】
前記フェンス体の下部を、地中に埋設したことを特徴とする請求項１記載のフェンス構造体。
【請求項３】
前記フェンス体の上部に、動物等の手掛かり防止となる所定長の縦幅を有する縦長の格子目を形成したことを特徴とする請求項１または請求項２記載のフェンス構造体。
【請求項４】
前記支柱は、左右両端に位置する端部支柱と、両端部支柱間に所定間隔をあけて配設された中間支柱とからなり、中間支柱の一面に固定される固定座と、前記ワイヤロープを抱き込む円弧部を形成した緊締具と、中間支柱を貫通するとともに前記固定座及び緊締具を貫通するボルトとこれに螺合するナットとを備え、前記ボルト及びナットによる螺合により前記ワイヤロープを前記中間支柱に固定したことを特徴とする請求項１〜請求項３のいずれか１項に記載のフェンス構造体。
【請求項５】
前記固定座と緊締具とが一体形成されたことを特徴とする請求項４記載のフェンス構造体。
【請求項６】
前記支柱間に、ワイヤロープとフェンス体の横メンバーとを抱持する略Ｕ字状断面の固定具を配置したことを特徴とする請求項１〜請求項５のいずれか１項に記載のフェンス構造体。
【請求項７】
前記端部支柱と前記ワイヤロープとを緊張力調節自在に連結したことを特徴とする請求項１〜請求項６のいずれか１項に記載のフェンス構造体。
【請求項８】
隣接する前記端部支柱間に、緊張力調節自在のブレースを配設したことを特徴とする請求項１〜請求項７のいずれか１項に記載のフェンス構造体。
【請求項９】
前記支柱を上部方向に伸延させて伸延部を形成し、同伸延部に乗り越え防止体を配設したことを特徴とする請求項１〜請求項８のいずれか１項に記載のフェンス構造体。
【請求項１０】
前記ワイヤロープを貫挿保持する筒状のワイヤガイドを前記中間支柱に取り付けたことを特徴とする請求項１〜請求項９のいずれか１項に記載のフェンス構造体。
【請求項１１】
前記支柱を筒状に形成するとともに、支柱内部に断面十字状の補強体を収納配設したことを特長とする請求項１〜請求項１０のいずれか１項に記載のフェンス構造体。
【発明の詳細な説明】
【０００１】
【発明の属する技術分野】
本発明は、積雪地において雪圧が大きい場合でも変形や損壊等を発生せずに保全を図ることができるフェンス構造体に関する。
【０００２】
【従来の技術】
たとえば高速道路内への動物の侵入防止のためや、歩道と車道を区画するための境界、あるいは建築現場や工場等の防護壁として各種フェンス構造体が使用されている。この種のフェンス構造体の施工方法としては、施工現場に所要の間隔で立設してある支柱部材にフェンスの両端部を固定して張設していくのが一般的である。
【０００３】
フェンス構造体は、従来ではたとえば菱形状の金網フェンスの縁部にフレームを設けてこのフレームを支柱に固定連結したり、金網の上端と下端に胴縁を設けてこの胴縁を支柱に連結したりするタイプが主である。フレームを備えるものでは、このフレームの間口方向の両端部を支柱にボルト・ナットにより連結する施工が可能であり、胴縁を備えるものでも同様にこの胴縁の間口方向の両端を支柱に固定連結する施工が行われる。
【０００４】
【発明が解決しようとする課題】
ところが、菱形状の金網を用いるものでは、たとえば冠雪時の雪に対する抵抗が大きいので、雪圧によって金網が変形したり破れたりすることがある。特に、菱形状の金網では自立できないので、上下の両端に太い胴縁を備えることが必要であり、積雪が沈降するときに発生する沈降力により胴縁，金網にかかる荷重が上部の胴縁に影響することになる。また、胴縁が大きくなればなるほどその影響力も大きくなる。したがって、金網や胴縁あるいは支柱の損壊や倒壊を招くことになり耐用性が低くなる。また、横メンバーと縦メンバーとからなる柵状の網の場合では、比較的抵抗が小さいため柵の変形はある程度は防止できるものの、上下に太い胴縁を備える場合ではやはり変形を生じてしまう。
【０００５】
このように従来のフェンス構造体では、菱形状の金網や太い胴縁を用いる構成なので、雪圧による損壊の恐れがあるほか、雪圧による沈降力の影響も無視できない。
【０００６】
また、高速道路内等への動物の侵入を防止できずに、動物が走行中の車の運転を妨害したり、交通事故へと巻き込んでしまうという危険性があった。
【０００７】
本発明は、雪圧等が作用しても変形や損壊を生じることがなくしかも沈降力の影響もなく良好に保全を保ち得るフェンス構造体を提供することを目的とする。
【０００８】
【課題を解決するための手段】
上記問題点を解決すべく、本発明では、縦メンバーと横メンバーとから構成されたフェンス体を、基礎上に立設した複数の支柱間に配設したフェンス構造体において、前記支柱どうしの少なくとも上側部間で、前記支柱の道路斜面または法面等、雪圧が多くかかる側に沿ってワイヤロープを連接し、前記フェンス体を前記支柱と前記ワイヤロープに連接して固定し、隣接するフェンス体の端部同士を重複させた状態で支柱に固定させる中間固定具を備え、同中間固定具は、重複したフェンス体の各縦メンバーをそれぞれ前後から挟み込み可能とし、前記重複したフェンス体の前記各縦メンバーを一本ずつ隔離して挟み込むように挟み込み面に多数の略山形状の突起を形成した一対の拘束プレートと、同拘束プレートを前記支柱に連結固定する連結具とを具備した。
【０００９】
さらに、以下の点にも特徴を有するものである。すなわち、
(１)前記フェンス体の下部を地中に埋設したこと。
(２)前記フェンス体の上部に、動物等の手掛かり防止となる所定長の縦幅を有する縦長の格子目を形成したこと。
(３)前記支柱は、左右両端に位置する端部支柱と、両端部支柱間に所定間隔をあけて配設された中間支柱とからなり、中間支柱の一面に固定される固定座と、前記ワイヤロープを抱き込む円弧部を形成した緊締具と、中間支柱を貫通するとともに前記固定座及び緊締具を貫通するボルトとこれに螺合するナットとを備え、前記ボルト及びナットによる螺合により前記ワイヤロープを前記中間支柱に固定したこと。
(４)前記固定座と緊締具とが一体形成されたこと。
(５)前記支柱間に、ワイヤロープとフェンス体の横メンバーとを抱持する略Ｕ字状断面の固定具を配置したこと。
(６)前記端部支柱と前記ワイヤロープとを緊張力調節自在に連結したこと。
(７)隣接する前記端部支柱間に、ブレースを緊張力調節自在に配設した。
(８)前記支柱を上部方向に伸延させて伸延部を形成し、同伸延部に乗り越え防止体を配設したこと。
(９)前記ワイヤロープを貫挿保持する筒状のワイヤガイドを前記中間支柱に取り付けたこと。
(１０)前記支柱を筒状に形成するとともに、支柱内部に断面十字状の補強体を収納配設したこと。
【００１０】
【発明の実施の形態】
本発明は、縦メンバーと横メンバーとから構成されたフェンス体を、基礎上に立設した複数の支柱間に配設したフェンス構造体において、前記支柱どうしの少なくとも上側部間で、前記支柱の道路斜面または法面等に対峙する側等、すなわち雪圧が多くかかる側に沿ってワイヤロープを連接し、前記フェンス体を前記支柱と前記ワイヤロープに連接して固定したものである。すなわち、支柱が道路の斜面または法面等に対峙する側等のように雪圧が多くかかる側に沿って、上段に一本又は上下段にわたって複数本のワイヤロープを張設し、同ワイヤロープと支柱とにフェンス体を固定保持している。
【００１１】
ワイヤロープは緊張状態にして支柱間に配置することにより、フェンス体を安定して保持することができる。そして、ワイヤロープによってフェンス体の上下やその中間位置を保持することによって太い胴縁を必要とすることなく、積雪地帯で雪の堆積を減らすと同時に積雪による沈降力を大きく抑えることができる。
【００１２】
支柱の一面に固定される固定座と、ワイヤロープを抱き込む円弧部を形成した緊締具と、支柱を貫通するとともに固定具及び緊締具を貫通するボルトと、これに螺合するナットとを備えると、ボルトとナットによる螺合によりワイヤロープを支柱に容易に固定することができ、現場施工を簡略化することができる。この時、固定座と緊締具とが一体形成された緊締具、すなわち、固定具と緊締具の代わりに長板を折り返すとともに同折り返し部に前記ワイヤロープを挿通する挿通部を形成したものを用いることもできる。
【００１３】
また、前記支柱間に、ワイヤロープとフェンス体の横メンバーとを抱持する略Ｕ字状断面の固定具を配置することができる。すなわち、ワイヤロープとフェンス体の横メンバーとを、略Ｕ字状断面の固定具の中に差し込むとともに固定具を収縮させるボルト・ナットにより互いに拘束可能とするものであり、かかる固定具を用いることによって、ワイヤロープの任意の位置で横メンバーを拘束固定することができるとともに固定具の数も任意にすることができる。
【００１４】
したがって、現場での施工条件に合わせたワイヤロープとフェンス体の固定構造が得られる。
【００１５】
また、隣接するフェンス体の端部同士を重複させた状態で支柱に固定させる中間固定具を備えさせることができる。
【００１６】
すなわち、前記中間固定具は、一面側に多数の略山形状の突起を形成するとともに、重複したフェンス体の各縦メンバーを向き合う形でそれぞれ前後から挟み込み可能な一対の拘束プレートと、同拘束プレートを前記支柱に連結固定する連結具とを具備するものとすることができる。連結具としては、前記支柱を抱き込みながら前記一対の拘束プレートの左右端部に貫通するＵボルトと、同Ｕボルトの両端にそれぞれ螺合するナットとを備えるものなどを用いることができ、前記Ｕボルト及びナットによる螺合により前記フェンス体の端部同士を前記支柱に拘束可能とすると、２枚のフェンス体の端部を確実に拘束して連結することができる。
【００１７】
特に、前記拘束プレートに多数形成した略山形状の突起どうし間に形成される断面視略Ｖ字形の切り込み部分を、同切り込み部分においてフェンス体の縦メンバーを一本ずつ隔離した形で挟み込めるような大きさ及び形状とすることにより、前記フェンス体にかかる引張力に耐えうる強固な固定が得られる。
【００１８】
また、前記拘束プレートに同一形状、かつ同一大きさの四角垂体を多数隣接して縦方向にも横方向にも略山型形状の突起を形成し、同略山形状の突起どうし間に形成される断面視略Ｖ字形の切り込み部分においてフェンス体の縦メンバーを一本ずつ隔離した形で挟み込めるような大きさ及び形状とすることにより、フェンス体の縦メンバーを最適な位置で固定して前記フェンス体にかかる引張力に耐えうる強固な固定が得られる。
【００１９】
また、端部支柱と前記ワイヤロープとを緊張力調節自在に連結するとよい。
【００２０】
例えば、端部支柱にメガネボルトを配設して同メガネボルトと、両端部をループ状としたワイヤロープの端部との間に、フック状の連結部を両端に形成した緊張力を調節可能とする調節具ターンバックルを介して、端部支柱とワイヤロープとを連設することができる。したがって、ワイヤロープの緊張力をターンバックルによって調節可能とすることができる。
【００２１】
さらに、隣接する前記端部支柱間に、緊張力調節自在のブレースを配設することが好ましい。
【００２２】
すなわち、フェンス構造体の全長が長い場合には、左右の端部支柱間にワイヤロープを調節したフェンス構造体を二つ隣接して配設し、隣接する二つのフェンス構造体間において、右端部の端部支柱と左端部の端部支柱の上下部にそれぞれ固定金具を配設し、同固定金具に、中途部に緊張力を調節可能とする調節具を有するとともに両端部にフック状の連結部を有するブレースを筋交い状に配設することによって、二つのフェンス構造体を連設して一つのフェンス構造体とすることができる。さらにフェンス構造体の全長が長い場合には、同様にして複数のフェンス構造体を連設して所定長のフェンス構造体とすることができる。
【００２３】
このように、ワイヤロープが存在しない隣接する右端部の端部支柱と左端部の端部支柱間において、ブレースを筋交い状に配設することによって、それぞれの端部支柱にかかる一方向からのワイヤロープの張力を打消してフェンスの耐久性を向上することができる。
【００２４】
また、施工後ブレースの緊張力が緩んだ場合は、随時調節具で容易に緊張力を調節することができる。
【００２５】
かかる構成により、フェンス構造体の全長がどんなに長くても耐久性に富むフェンス構造体とすることができる。
【００２６】
また、ワイヤロープを貫挿保持する筒状のワイヤガイドを前記中間支柱に取り付けることもできる。すなわち、ワイヤロープを左右の端部支柱間に張設する際の中間支柱に対するワイヤロープの当接構造を、左右の端部支柱間に存在する中間支柱とワイヤロープとの当接部分において、中間支柱の側面にワイヤロープを貫挿する筒状のワイヤガイドを固定して、同ワイヤガイドにワイヤロープを貫挿保持するように構成するものである。
【００２７】
かかるワイヤガイドを用いることにより、ワイヤロープが中間支柱とフェンス体の縦メンバーとに挟み込まれて拘束されることを防止して、フェンス施工後ワイヤロープに緩みが発生した際に再度の緊張作業を容易に行うことができる。
【００２８】
また、Ｈ型鋼である端部支柱、あるいは中実状とした円形パイプからなる中間支柱の代わりに、支柱を筒状に形成するとともに、支柱内部に断面十字状の補強体を収納配設することができる。
【００２９】
このように、パイプ内部に断面十字状の補強体を収納配設した他の端部支柱、すなわち補強型角支柱や補強型丸支柱を用いれば、支柱の曲げに対する強度を著しく向上して支柱の外径を細く構成したり支柱の肉厚を薄く構成することができるのでコストを削減することができる。
【００３０】
また、フェンス体を支柱とワイヤロープに配設する際、フェンス体の下部を地中に埋設することが好ましい。
【００３１】
かかる構成とすることにより、フェンス体の下端縁と地面の間に生起する隙間から小動物が侵入するのを防止することができる。また、仮に動物が地面に穴を掘ってそこから侵入しようとしても、フェンス体の下部が地中に存在することにより不可能とし侵入を防止することができる。さらに、フェンス体の縦メンバーを地盤中に突き刺した状態とすることができるので沈降力を受け難くしフェンス体の損傷等を防止することができる。
【００３２】
また、フェンス体の上部に、動物等の手掛かり防止となる所定長の縦幅を有する縦長の格子目を形成するとよい。
【００３３】
すなわち、フェンス体の上部に横メンバーどうしの上下間隔をあけて動物等の手掛かり防止となる所定の縦幅を有する縦長の格子目を形成して手掛かり防止部を設けたフェンス体を使用すれば、フェンス体をよじ登ってきた動物がフェンスを乗り越えようとして最後に手を掛けようとしてもフェンスの上部には横メンバーは存在しないので手掛かりとすることが不可能となり、動物がフェンス内に侵入することを阻止することができる。したがって、例えば高速道路内に動物が侵入して走行中の車の妨害をしたり、交通事故に巻き込んだりする危険性をなくすことができる。
【００３４】
また、支柱を上部方向に伸延させて伸延部を形成し、同伸延部に乗り越え防止体を配設することもできる。すなわち鉄条網による乗り越え防止体や鉄線による乗り越え防止体や格子網による乗り越え防止体を配設することによっても、動物がフェンス上部から乗り越えてフェンス内に進入することを防止することができる。この場合でも、前述同様に、例えば高速道路内に動物が侵入して走行中の車の妨害をしたり、交通事故に巻き込んだりする危険性をなくすことができる。
【００３５】
なお、本実施の形態では支柱の雪圧のかかる例として道路斜面側または法面と対峙する側として説明したが、フェンス設置場所によっては雪圧のかかる面は変わる場合もある。
【００３６】
従って、フェンス設置場所に応じてワイヤロープを設置する面は適宜設定することが望ましい。
【００３７】
【実施例】
以下、本発明の一実施例を図面に基づいて説明する。
【００３８】
図１は本発明のフェンス構造体の左端部を示す正面図、図２は図１の右側面図である。
【００３９】
図において、Ｈ型鋼を利用した端部支柱１と円形のパイプを利用した中間支柱２が基礎１ａ，２ａ上に鉛直姿勢に立設されている。なお、前記中間支柱２は略矩形のパイプを利用した中間支柱２'でもよい(図７,図１８,図１９参照）。中間支柱２は一定のピッチで図１において右側に順に配列されるもので、右端部には端部支柱１と同様の構成の端部支柱１（図示せず）が配置される。端部支柱１と中間支柱２及び図示しない右側配列の中間支柱及び右端に位置する端部支柱１の間には上下に間隔をおいた３本のワイヤロープ３ａ，３ｂ，３ｃが緊張状態に張られている。これらのワイヤロープ３ａ，３ｂ，３ｃの外径は８ｍｍ程度である。なお、ワイヤロープ３ａ，３ｂ，３ｃは歩道または側道と反対側の面となるように端部支柱１及び中間支柱２に固定され、例えば前記歩道または側道と反対側の面が急斜面などの場合、斜面に積雪した雪圧を端部支柱１と中間支柱２及びワイヤロープ３ａ，３ｂ，３ｃが受ける構成となっている。
【００４０】
ワイヤロープ３ａ，３ｂ，３ｃによって連結される端部支柱１と中間支柱２との間には図３に示すようにフェンス体４が固定される。このフェンス体４は端部支柱１及び中間支柱２が斜面側を向く面であって、歩道または側道とは逆向きの面に取付けられる。フェンス体４は外径を４〜６ｍｍ程度とした縦メンバー４ａとこれに直交するように配列してスポット溶接した外径が６〜１０ｍｍ程度の横メンバー４ｂとから構成されたもので、縦メンバー４ａどうしの間隔は約５０ｍｍ程度である。なお、図示の例では端部支柱１と中間支柱２との間にフェンス体４を配置しているが、中間支柱２どうしの間及び中間支柱と右端配置の端部支柱１（図示せず）との間にも同様にフェンス体４が取り付けられる。
【００４１】
図４はワイヤロープ３ａの中間支柱２への固定構造を示す分解斜視図、図５はワイヤロープ３ａを中間支柱２に固定したときの要部を示す側面図、図６は図１の破線で囲んだＣ部分を示す拡大図である。なお、図５は図１の破線で囲んだＢ部の詳細である。
【００４２】
ワイヤロープ３ａを中間支柱２に固定する固定具は、図４に示すように中間支柱２に取り付けた固定座５ａ，この固定座５ａに被さりワイヤロープ３ａを抱き込む円弧部５ｂ−１を形成した緊締具５ｂ、中間支柱２を貫通して正面側から差し込まれるとともに固定座５ａと緊締具５ｂを貫通するボルト５ｃ、このボルト５ｃに螺合するナット５ｄとから構成されたものである。ワイヤロープ３ａは図６に示すように端部支柱１の上端に設けたアイガード１ｂに一端を連結され他端側の端部支柱１との間で緊張状態に張設されたものである。そして、ワイヤロープ３ａは図５に示すように緊締具５ｂと固定座５ａとの間に差し込まれて中間支柱２に固定される。なお、ワイヤロープ３ｂ，３ｃについても同様の取付け構造によって端部支柱１及び中間支柱２に連結固定される。（図３参照）
なお、ワイヤロープ３ａを中間支柱２に固定する固定具の他の例として、図７に示すように、前記固定座と緊締具とが一体形成された物を用いることができる。具体的には、中間支柱に取り付けた長板を折り返すとともに同折り返し部にワイヤロープ３ａを挿通する挿通部を形成した緊締具５ｂ'とするものである。この場合のワイヤロープ３ａを中間支柱２に固定する固定構造は、緊締具５ｂ'、前記中間支柱２'を貫通して正面側から差し込まれるとともに緊締具５ｂ'を貫通するボルト５ｃ、このボルト５ｃに螺合するナット５ｄとから構成されることになる。
【００４３】
なお、ワイヤロープ３ａ,３ｂ,３ｃは中間支柱２に連結固定せず、フェンス体４と固定することもできる。
【００４４】
図８は図１の破線で囲んだＡ部の詳細であり、中間支柱２に対するフェンス体４の固定構造を示すものであって、（ａ）は正面図、（ｂ）は同図（ａ）のＡ−Ａ線矢視による断面図である。
【００４５】
中間支柱２には隣接するフェンス体４の端部どうしが重複した状態で固定されるもので、２枚のフェンス体４をそれぞれ挟み込むように配置される一対の拘束プレート６ａ，６ａとＵボルト６ｄ及びこのＵボルト６ｄに螺合するナット６ｅによって中間固定具が構成されている。すなわち、中間支柱２を抱き込むようにしてＵボルト６ｄを配置し、拘束プレート６ａ，６ａで２枚のフェンス体４の端部を挟み込み、Ｕボルト６ｄとナット６ｅを螺合することによって中間支柱２に２枚のフェンス体４が固定される。なお、拘束プレート６ａ、６ａの一面側には、図８（ｂ）の丸枠で囲んだ拡大図に示すように多数の略山形状の突起が形成され、２枚のフェンス体４の端部どうしを確実に拘束して連結できるようにしている。
【００４６】
この時、拘束プレート６ａ,６ａの代わりに、図９及び図１０に示すような拘束プレート６ｂ，６ｂ、または、図１１に示すような拘束プレート６ｃ，６ｃを使用することができる。
【００４７】
まず、第１の変形例である拘束プレート６ｂ，６ｂの使用例を図９に示す。
【００４８】
この拘束プレート６ｂ，６ｂは、前記した拘束プレート６ａ,６ａ（図８）の多数形成した略山形状の突起同士間に形成される断面視略V字形の切り込み部分を拡張して、フェンス体４の縦メンバー４ａを一本ずつ隔離した形で挟み込めるような大きさ及び形状としたものである。
【００４９】
かかる構成の拘束プレート６ｂ，６ｂによって、フェンス体４の縦メンバー４ａを一本ずつ隔離した形で挟み込むことができ、フェンス体４にかかる引張力に耐えうるより強固な固定が得られる。
【００５０】
次に、第２の変形例である拘束プレート６ｃについて説明すると、図１１に示すように、同拘束プレート６ｃ，６ｃは、前記拘束プレート６ａ,６ａの多数形成した略山形状の突起の代わりに、同一形状、かつ同一大きさの四角垂体を多数隣接して縦方向にも横方向にも略山型形状の突起を形成している。
【００５１】
かかる構成の拘束プレート６ｃ，６ｃでは、略山形状の突起どうし間に形成される断面視略Ｖ字形の切り込み部分を、フェンス体の縦メンバーを一本ずつ隔離した形で挟み込めるような大きさ及び形状としているので、フェンス体の縦メンバーを最適な位置で固定して前記フェンス体にかかる引張力に耐えうる強固な固定が得られる。
【００５２】
図１２はワイヤロープ３ａに対するフェンス体４の固定構造であって、（ａ）は要部の斜視図、（ｂ）は要部の断面図である。
【００５３】
フェンス体４は、図８で示した固定構造によって中間支柱２に固定されるとともに、ワイヤロープ３ａにも固定具７によって固定される。固定具７は、図１２に示すように略逆Ｕ字状の断面形状を持つもので、ワイヤロープ３ａに沿って走る横メンバー４ｂをワイヤロープ３ａとともに抱き込み可能としたものである。そして、固定具７には孔７ａ，７ｂを開けておき、これらの孔７ａ，７ｂにボルト８を通してナット８ａをこのボルト８に螺合することによって前記固定具７を強く緊締し、同図の（ｂ）に示すようにワイヤロープ３ａに横メンバー４ｂを一体に固定することができる。なお、下段のワイヤロープ３ｂ，３ｃとフェンス体４の横メンバー４ｂとの連結構造も同様である。
【００５４】
以上の構成において、フェンス構造体の施工は次の手順による。
【００５５】
まず、基礎１ａ，２ａを地盤中に形成してこれらのそれぞれに端部支柱１及び中間支柱２を立設する。中間支柱２は図１に示した端部支柱１との間に間隔をもって複数配列されるもので、右端部には端部支柱１と同様の構成のものが立設される。
【００５６】
端部支柱１及び中間支柱２の立設作業の後には、ワイヤロープ３ａ，３ｂ，３ｃを各端部支柱１及び中間支柱２に張設する。このとき、図６に示したワイヤロープ３ａの例と同様に、右側端部に配置する端部支柱１には巻き付けグリップとアイガード１ｂでワイヤロープ３ａの一端を接続して緊張状態に張り巡らす。下段配置のワイヤロープ３ｂ，３ｃの施工も同様に行う。そして、中間支柱２に対しては図４及び図５に示したように固定座５ａ，緊締具５ｂ，ボルト５ｃ，ナット５ｄによりワイヤロープ３ａを中間支柱２に固定する。なお、ワイヤロープ３ｂ，３ｃについても同様の施工をすることにより、端部支柱１と中間支柱２の配列に対して３本のワイヤロープ３ａ，３ｂ，３ｃを張設することができる。
【００５７】
この時、ワイヤロープ３ａを中間支柱２に固定するための前記固定座５ａ，前記緊締具５ｂの代わりに、図７に示す緊締具５ｂ’を使用して、緊締具５ｂ’,ボルト５ｃ，ナット５ｄによりワイヤロープ３ａを中間支柱２に固定することもできる。なお、ワイヤロープ３ｂ，３ｃについても同様の施工をすることにより、端部支柱１と中間支柱２の配列に対して３本のワイヤロープ３ａ，３ｂ，３ｃを張設することができる。
【００５８】
ワイヤロープ３ａ，３ｂ，３ｃを施工した後には、２枚のフェンス体４がオーバーラップするように中間支柱２の前面に取り付けられる。この取り付け作業は、図８に示したように、微小な凹凸を形成した拘束プレート６ａ，６ａ，Ｕボルト６ｄ，ナット６ｅを用いて行う。
【００５９】
すなわち、２枚のフェンス体４の間口方向の端部を重ね合わせて中間支柱２の正面側に配置して拘束プレート６ａ，６aにより２枚のフェンス体４を狭持し、Ｕボルト６dとナット６ｅによる締め付けによりフェンス体４の端部を中間支柱２に固定する。
【００６０】
この時、上記構成の拘束プレート６ａ，６ａの代わりに、前述した拘束プレート６ｂ,６ｂ(図１０参照)、または、拘束プレート６ｃ，６ｃ(図１１参照)を使用することができる。その場合の施工は、図８において２枚のフェンス体４を中間支柱２に取り付ける施工において、拘束プレート６ａ，６ａをそれぞれ拘束プレート６ｂ,６ｂ、拘束プレート６ｃ，６ｃに代えるだけで良く、代表例として拘束プレート６ｂ,６ｂを用いた施工例を図９に示す。
【００６１】
このような施工により、ワイヤロープ３ａ，３ｂ，３ｃが端部支柱１と中間支柱２に固定されるとともに、フェンス体４はＵボルト６ｄと拘束プレート６ａ，６ａ及びナット６ｅによって中間支柱に固定され、更にワイヤロープ３ａ，３ｂ，３ｃに固定具７を介してフェンス体４の横メンバー４ｂが固定される(図１２参照）。
【００６２】
このようにして端部支柱１及び中間支柱２にフェンス体４が固定され、図２において左側のフェンス体４を高速道路等の傾斜面側に向けて現場施工される。
【００６３】
このようにして施工されたフェンス構造体では、ワイヤロープ３ａ，３ｂ，３ｃによってフェンス体４が支持されるので、斜面雪圧及び受動雪圧等をフェンス体４の全体と端部支柱１及び中間支柱２の全体で受け止めることができる。すなわち、フェンス体４は端部支柱１及び中間支柱２よりも傾斜面側に位置しているので、雪圧を受けたときフェンス体４からワイヤロープ３ａ，３ｂ，３ｃを介して端部支柱１及び中間支柱２に伝えて分散支持することができる。したがって、従来のように太い胴縁を備える必要がなくなるほか、従来の菱形金網を用いる場合に比べて強度を大きくできるので、端部支柱１と中間支柱２及び中間支柱どうしの間の間隔を広くすることができ、低コスト化が可能となる。
【００６４】
また、太い胴縁を必要としないので、フェンス体４の断面積を従来に比べて半分以下に減らすことができる。このため、雪の堆積による沈降力の影響を最小限とすることができる。
【００６５】
更に、縦メンバー４ａは５０ｍｍ間隔で並んでいるので、雪の通り抜けを促すことができ、菱形網の場合に比べると雪圧によるフェンス体４の変形や損壊を防止することができる。すなわち、積雪地に設置した場合でも、縦メンバー４ａどうしの間のスリットから雪が抜けやすくて雪の詰まりが少なくなり、積雪による斜面雪圧及び受動雪圧からなる雪圧と積もった雪がもたらす沈降力を受け難く、また、すべての雪圧を受けたとしてもフェンス体４全体で分散して受け止めるため、フェンス体４が変形してしまうことがない。
【００６６】
また、立設した端部支柱１及び中間支柱２にフェンス体４の間口を重ねて調節するため、端部支柱１及び中間支柱２に多少のズレがあっても簡単に取り付けることができ施工性を向上することができる。
【００６７】
なお、以上の実施の形態では道路等の斜面に沿ってフェンス構造体を設置する例について述べたが、飛行場、工場等の防護柵等にも適用することができる。
【００６８】
上記してきた端部支柱１、中間支柱２の他実施例について説明する。
【００６９】
上述してきた実施例でＨ型鋼とした端部支柱１、また中実若しくは単に丸パイプ状とした中間支柱２の代わりに、補強体１１を設けた補強型角支柱１０や補強型丸支柱１２を使用することができる。
【００７０】
すなわち、補強型角支柱１０は、図１３に示すように略矩形のパイプ内部に断面十字状の補強体１１を収納配設したものであり、補強型丸支柱１２は、図１４に示すように円形のパイプ内部に、これも同様な断面十字状の補強体１３を収納配設したものである。
【００７１】
前記十字状の補強体１１，１３は、鉄、アルミ等の金属で構成されており、初めから十字形状に成形した補強体１１，１３を用いてもよいし、図１５に示すように、「Ｌ」字状のアングル材を二つ用いて、互いの折曲部の稜線同士を溶接して十字状に形成した補強体１４を用いても良い。
【００７２】
かかる構成としたことにより、支柱の断面係数を大きくして支柱の曲げに対する強度を著しく向上することができる。
【００７３】
したがって、支柱の外径を細く構成したり支柱の肉厚を薄く構成することができるのでコストを削減することができる。
【００７４】
次に、上述したワイヤロープ３ａを端部支柱１に固定する場合の他の実施例について説明する。
【００７５】
この実施例では、前記端部支柱１と前記ワイヤロープ３ａとを緊張力調節自在に連結しており、具体的に説明すると、図１６に示すように、端部支柱１にメガネボルト１５を貫通固定し、同メガネボルト１５とワイヤロープ３ａとの間に緊張力を調節可能とするターンバックル１８を介設している。図中、１６は前記メガネボルト１５を端部支柱１に固定するためのナット、１７は同ナット１６と端部支柱１との間に介設した座金である。なお、図示したものは、ワイヤロープ３ａの左端部側であるが、右端部も同様である。
【００７６】
このような構成としたことにより、ワイヤロープ３ａの緊張力をターンバックル１８によって調節可能とすることができ、ワイヤロープ３ａを張設する際に、適度な緊張をもって張設することが容易となる。また、施工後ワイヤロープ３ａに緩みが発生した際には、随時、ターンバックル１８によって容易に緊張状態に戻すことができる。
【００７７】
ところで、フェンス構造体の全長が著しく長い場合などには、これまで説明してきたような左端部の端部支柱１と右端部の端部支柱１との間にワイヤロープ３ａを張設したフェンス構造体を、二つ隣接して配設すればよい。このとき、図１７に示すように、隣接する一方のフェンス構造体の右端部の端部支柱１と、他方のフェンス構造体の左端部の端部支柱１の上下部に、それぞれ固定金具９を配設し、同固定金具９に、中途部に緊張力を調節可能とする調節具１９を有し、かつ両端部にフック状の連結部を有するブレース２０を筋交い状に配設して、二つのフェンス構造体を連結し連続させるのである。
【００７８】
さらに、図示するように、左右の端部支柱１，１の中途部より斜め下方向へ補強用のサポート支柱２１，２１をそれぞれ配設し、同サポート支柱２１の下端部は埋設して固定するとよい。
【００７９】
かかる構成としたことにより、右端部の端部支柱１と左端部の端部支柱１は、ワイヤロープ３ａ,３ｂ,３ｃの張力によって一方向へのみ引っ張られる力を打消され、安定した構造を保持することができる。
【００８０】
したがって、ワイヤロープ３ａ,３ｂ,３ｃの張力に加えて、雪圧がかかり更に大きな力が支柱に作用しても、フェンスは立設した状態を保持してフェンスの耐久性を向上させることができる。
【００８１】
ここで、図１８に示すワイヤガイド２２について説明する。
【００８２】
これは、ワイヤロープ３ｂ，３ｃが中間支柱２とフェンスとの間に強く挟まれた状態で時間が経つと、固く結着されてメンテナンスが難しくなるのを防止するもので、図示するように筒状に形成されており、中間支柱２とワイヤロープ３ｂとの当接部分に配置して、中間支柱２の側面及びフェンス（縦メンバー４ａ）とワイヤロープ３ｂとが直接接触しないようにしている。
【００８３】
すなわち、中間支柱２の側面に、本ワイヤガイド２２を溶接などで取付固定し、ワイヤロープ３ｂを同ワイヤガイド２２に挿通している。なお、ワイヤロープ３ｃについても同様の施工を行う。
【００８４】
かかる構成により、中間支柱２とフェンス体４の縦メンバー４ａとの間に配設されるワイヤロープ３ｂ，３ｃが中間支柱２とフェンス体４の縦メンバー４ａとに挟み込まれて長期にわたって拘束され、固く結着されることを防止することができる。
【００８５】
したがって、例えば、フェンス施工後ワイヤロープ３ｂ，３ｃに緩みが発生した場合でも、ワイヤロープ３ｂ，３ｃを再度緊張状態に戻す作業も容易に行うことができる。
【００８６】
また、上記ワイヤガイド２２と同様な機能を、前述した拘束プレート６ａ，６ａに付与することも可能である。
【００８７】
すなわち、図８に示した中間支柱２に対するフェンス体４の固定構造において、２枚のフェンス体４をそれぞれ挟み込むように配置される一対の拘束プレート６ａ,６ａの代わりに、図１９に示すような一対の拘束プレート６ａ',６ａを用いるのである。
【００８８】
これは、図８に示した中間支柱側に位置する拘束プレート６ａの上下部を伸延させるとともに、それぞれ中間支柱２側へ直角に折り曲げて、両折り曲げ部間にワイヤロープ挿通用空間Ｓを形成したものである。
【００８９】
そして、同ワイヤロープ挿通用空間Ｓにワイヤロープ３ｂを挿通し、拘束プレート６ａ'，６ａとＵボルト６ｄ'及びこのＵボルト６ｄ'に螺合するナット６ｅによって中間固定具を構成し、中間支柱２'を抱き込むようにしてＵボルト６ｄ'を配置し、拘束プレート６ａ'，６ａで２枚のフェンス体４の端部を挟み込み、Ｕボルト６ｄ'のナット６ｅを螺合することによって中間支柱２に２枚のフェンス体４が固定するのである。
【００９０】
かかる構成により、中間支柱２とフェンス体４の縦メンバー４ａとの間に配設されるワイヤロープ３ｂ，３ｃが中間支柱２とフェンス体４の縦メンバー４ａとに挟み込まれて拘束されることを防止でき、やはり、フェンス施工後ワイヤロープ３ｂ，３ｃに緩みが発生した場合に、再度の緊張作業を容易に行える。
【００９１】
次に、上述したフェンス構造体に防獣効果を付加したものついて説明する。
【００９２】
これは、図２０に示すように、フェンス体４の縦メンバー４ａを地盤中に突き刺した構成としたものである。
【００９３】
すなわち、フェンス体４の縦メンバー４ａを地盤中に突き刺して施工すれば、動物がフェンス下端縁と地面との間に生起した隙間から侵入することを防止することができ、しかも、動物がフェンス体４の近傍に地面を掘ったとしても、縦メンバー４ａの下端部が地面中に残っているので、動物の侵入を防止することができる。
【００９４】
したがって、動物がフェンス内に侵入することを阻止して、例えば高速道路内に動物が侵入して走行中の車の妨害をしたり交通事故に巻き込んだりする危険性をなくすことができる。しかも、フェンス体４の縦メンバー４ａを地中に埋設しているので、従来の菱形網の場合に比べて沈降力を受け難くなり、フェンス体４の損壊等を防止できる。
【００９５】
また、さらなる防獣機能を備えるフェンス体として、図２０に示すように、動物等の手掛かり防止となる所定長の縦幅を有する縦長の格子目を形成した手掛かり防止部２３を設けたものを使用することができる。
【００９６】
かかる構成の手掛かり防止用フェンス体４'では、動物がよじ登ってフェンスを乗り越えようとして、最後に手（前足）を掛けようとしても、上部には横メンバー４ａは存在しないので手掛かりとすることが不可能なので、動物の侵入を防止することができる。
【００９７】
したがって、動物がフェンス内に侵入することを阻止して、例えば高速道路内に動物が侵入して走行中の車の妨害をしたり、交通事故に巻き込んだりする危険性をなくすことができる。
【００９８】
また、防獣機能を付加したフェンスの他の例として、図２１〜図２３に示すような構成とすることもできる。
【００９９】
図２１に示したものは、左側部の端部支柱１、右側部の端部支柱１、中間支柱２を上部方向に伸延させて伸延部２５とし、同伸延部２５に乗り越え防止体、すなわち鉄条網による乗り越え防止体２６を配設したものである。
【０１００】
図２２に示したものは、鉄条網に代えて鉄線による乗り越え防止体２７を配設したものであり、図２３に示したものは、格子網による乗り越え防止体２８を配設したものである。
【０１０１】
このような構成としたことにより、動物がフェンス上部から乗り越えてフェンス内に侵入することを防止することができ、例えば高速道路内に動物が侵入して走行中の車の妨害をしたり、交通事故に巻き込んだりする危険性をなくすことができる。
【０１０２】
【発明の効果】
請求項１記載の発明によれば、フェンス体は支柱とワイヤロープとによって固定保持されるので、フェンス体を安定して保持することができる。そして、ワイヤロープによってフェンス体の上下やその中間位置を保持することによって太い胴縁を必要とすることがなく、積雪地帯で雪の堆積を減らすと同時に沈降力を軽減し積雪による損壊を防止する効果がある。フェンス体の縦メンバーが引張力を受けても、拘束プレートの一面側に形成された多数の略山形状の突起が縦メンバーを強く拘束することによって移動を阻止し、縦メンバー同士が重なり合って拘束プレート間に余分な隙間が生じることを避けることができ、より強固な固定とすることができる効果がある。フェンス体の縦メンバーを最適な位置で固定してフェンス体にかかる引張力に耐えうる強固な固定が得られる効果がある。
【０１０３】
請求項２記載の発明によれば、フェンス体の縦メンバーの下端縁を地盤中に突き刺しているため沈降力を受け難くなるのでフェンス体の損傷等を防止する効果がある。
【０１０４】
また、動物がフェンスの下部より侵入することを防止する効果がある。
【０１０５】
また、仮に動物がフェンス近傍の地面を掘ったとしてもフェンス下部が地面中に残っているので動物の侵入を防止することができる。したがって、例えば高速道路内に動物が侵入して走行中の車の妨害をしたり、交通事故に巻き込んだりする危険性をなくす効果がある。
【０１０６】
請求項３記載の発明によれば、フェンス体の上部に動物の手掛かり防止となる所定長の縦幅を有する縦長の格子目を形成したことにより、フェンスをよじ登ってきた動物がフェンスを乗り越えようとして最後に手を掛けようとしても、フェンスの上部には手掛かりとなる横メンバーが存在しないので、動物がフェンスを乗り越えてフェンス内に侵入することを阻止して、例えば高速道路内に動物が侵入して走行中の車の妨害をしたり、交通事故に巻き込んだりする危険性をなくす効果がある。
【０１０７】
請求項４記載の発明によれば、支柱の一面に固定される固定座と、ワイヤロープを抱き込む円弧部を形成した緊締具と、支柱を貫通するとともに固定具及び緊締具を貫通するボルトとこれに螺合するナットとを備えているので、ボルトとナットによる螺合によりワイヤロープを支柱に容易に固定することができ、現場施工を簡略化する効果がある。
【０１０８】
請求項５記載の発明によれば、長板を折り返すとともに同折り返し部に前記ワイヤロープを挿通する挿通部を形成した緊締具と、中間支柱を貫通するとともに前記緊締具を貫通するボルトとこれに螺合するナットとを備えているので、ボルトとナットによる螺合によりワイヤロープを支柱に容易に固定することができ、現場施工を簡略化する効果がある。
【０１０９】
請求項６記載の発明によれば、ワイヤロープとフェンス体の横メンバーとを、略Ｕ字状断面の固定具の中に差し込むとともに固定具を収縮させるボルト・ナットにより互いに拘束可能としているので、ワイヤロープの任意の位置で横メンバーを拘束固定することができるとともに固定具の数も任意にすることができ、現場での施工条件に合わせたワイヤロープとフェンス体の固定構造とする効果がある。
【０１１１】
請求項７記載の発明によれば、端部支柱とワイヤロープとを緊張力調節自在に連結したので、ワイヤロープの緊張力をターンバックルによって調節可能とすることができ、ワイヤロープを張設する際、適度な緊張をもって張設することを容易とするとともに、施工後ワイヤロープに緩みが発生した際には、随時ターンバックルによって再度の緊張作業を容易とする効果がある。
【０１１２】
請求項８記載の発明によれば、隣接する端部支柱間に緊張力調節自在のブレースを設けたことにより、ワイヤロープの存在しない隣接する端部支柱間の耐久力を向上するとともに、施工後ブレースに緩みが発生した際には、随時調節具によって再度の緊張作業を容易とする効果がある。
【０１１３】
請求項９記載の発明によれば、支柱を上部方向に伸延させて伸延部とし、同伸延部に乗り越え防止体を配設したことにより、動物がフェンスの上部を乗り越えてフェンス内に侵入することを防止して、例えば高速道路内に動物が侵入して走行中の車の妨害をしたり、交通事故に巻き込んだりする危険性をなくす効果がある。
【０１１４】
請求項１０記載の発明によれば、ワイヤロープを貫挿保持する筒状のワイヤガイドを中間支柱の側面に取り付けたので、中間支柱とフェンス体の縦メンバーとの間に配設されるワイヤロープが中間支柱とフェンス体の縦メンバーとに挟み込まれて長期にわたって拘束され、固く結着されることを防止して、フェンス施工後、ワイヤロープに緩みが発生した際には再度の緊張作業を容易とする効果がある。
【０１１５】
請求項１１記載の発明によれば、支柱を筒状に形成するとともに支柱内部に断面十字状の補強体を収納配設したことにより、支柱の断面係数を大きくして支柱の曲げに対する強度を著しく向上できるため、支柱の外径を細く構成したり支柱の肉厚を薄く構成することができコストを削減する効果がある。
【図面の簡単な説明】
【図１】  本発明に係るフェンス構造体の正面図である。
【図２】  図１の右側面図である。
【図３】  ワイヤロープを備えた支柱へのフェンス体の取り付けを示す概略分解斜視図である。
【図４】  支柱へのワイヤロープの取り付け構造を示す分解斜視図である。
【図５】  支柱へのワイヤロープの取り付けをフェンス体の一部とともに示す右側面図である。
【図６】  端部支柱へのワイヤロープの連結を示す要部の正面図である。
【図７】  図４において他の緊締具を使用した場合を示す分解斜視図である。
【図８】  （ａ）は支柱へのフェンス体の固定を示す正面図、（ｂ）は同図（ａ）のＡ−Ａ線矢視による断面図である。
【図９】  図８（ｂ）において他の拘束プレートを使用した場合を示す説明図である。
【図１０】  拘束プレートの変形例を示す斜視図である。
【図１１】  拘束プレートの変形例を示す斜視図である。
【図１２】  ワイヤロープへのフェンス体の取り付け構造であって、（ａ）は要部の分解斜視図、（ｂ）は要部の縦断面図。
【図１３】  補強型角支柱の説明図である。
【図１４】  補強型丸支柱の説明図である。
【図１５】  補強体の施工例を示す説明図である。
【図１６】  ターンバックルを用いた端部支柱へのワイヤロープの連結を示す要部の斜視図である。
【図１７】  隣接するフェンス構造体の連結構造を示す説明図である。
【図１８】  ワイヤガイドの施工例を示す斜視図である。
【図１９】  ワイヤガイドの変形例を用いた施工例を示す分解斜視図である。
【図２０】  手掛かり防止用フェンス体を用いたフェンス構造体の正面図である。
【図２１】  鉄条網による乗り越え防止体を配設したフェンス構造体の正面図である。
【図２２】  鉄線による乗り越え防止体を配設したフェンス構造体の正面図である。
【図２３】  格子網による乗り越え防止体を配設したフェンス構造体の正面図である。
【符号の説明】
１  端部支柱
１ａ  基礎
１ｂ  アイガード
２  中間支柱
２ａ  基礎
３ａ，３ｂ，３ｃ  ワイヤロープ
４  フェンス体
４ａ  縦メンバー
４ｂ  横メンバー
５ａ  固定座
５ｂ  緊締具
５ｂ−１  円弧部
５ｃ  ボルト
５ｄ  ナット
６ａ，６ａ  拘束プレート
６ｄ  Ｕボルト
６ｅ  ナット
７  固定具
７ａ，７ｂ  孔
８  ボルト
８ａ  ナット
【図１】
0003811096.tif 000002
【図２】
0003811096.tif 000003
【図３】
0003811096.tif 000004
【図４】
0003811096.tif 000005
【図５】
0003811096.tif 000006
【図６】
0003811096.tif 000007
【図７】
0003811096.tif 000008
【図８】
0003811096.tif 000009
【図９】
0003811096.tif 000010
【図１０】
0003811096.tif 000011
【図１１】
0003811096.tif 000012
【図１２】
0003811096.tif 000013
【図１３】
0003811096.tif 000014
【図１４】
0003811096.tif 000015
【図１５】
0003811096.tif 000016
【図１６】
0003811096.tif 000017
【図１７】
0003811096.tif 000018
【図１８】
0003811096.tif 000019
【図１９】
0003811096.tif 000020
【図２０】
0003811096.tif 000021
【図２１】
0003811096.tif 000022
【図２２】
0003811096.tif 000023
【図２３】
0003811096.tif 000024